(57)【要約】      （修正有）【課題】温灸器の重心を安定させて温灸器の温度を制御し、患者から火傷を避けることができる温灸器用の固定装置を提供する。【解決手段】本体２０２とシリンダ２０４を含む温灸器２００用の固定装置であって、本体２０２は、収納空間２０２２を有している。固定装置は、シリンダ２０４の端部を接続するためのシリンダ接続点２１２と、モグサを保持するための保持要素２１４と、シリンダ２０４の作動を安定させるための固定要素２１６と、を含んでいる。【選択図】図２
0003205428.tif 000002
【実用新案登録請求の範囲】
【請求項１】
収納空間を有する本体と、シリンダと、を含む温灸器用の固定装置であって、
前記シリンダの端部を接続するためのシリンダ接続点と、
艾▲火主▼を保持するための保持要素と、
前記シリンダの作動を安定させるための固定要素と、を含むことを特徴とする温灸器用の固定装置。
【請求項２】
前記シリンダの数は一つであり、
前記固定装置は、円板を含み、
前記円板は、前記艾▲火主▼を通すための中央孔と、側孔とを有し、
前記固定要素は、前記本体に固定され、前記側孔を摺動自在に貫通するガイド部品であり、
前記固定要素の材料は、アルミニウム合金又はベークライト（Bakelite）であることを特徴とする請求項１に記載の温灸器用の固定装置。
【請求項３】
前記温灸器は、ベースに配置され、前記温灸器内の温度が予め温度を超えるかどうかを感知するための温度感知素子を更に含み、
前記ベースは、着脱自在に取り付け、
前記温度感知素子は、温度監視装置に接続され、
前記温度監視装置は、圧縮空気を前記シリンダに入れることを制御するための電磁弁を含むことを特徴とする請求項１に記載の温灸器用の固定装置。
【請求項４】
収納空間を有する本体と、前記収納空間の一側に配置されるシリンダと、を含む温灸器用の固定装置であって、
前記シリンダの端部を接続するためのシリンダ接続点と、
艾▲火主▼を保持するための保持要素と、
前記シリンダの作動の時、前記本体を安定させるために、前記シリンダの相対側に配置され、前記本体と接続される固定要素と、を含むことを特徴とする温灸器用の固定装置。
【請求項５】
本体と、前記収納空間の一側に配置される作動装置と、を含む温灸器用の固定装置であって、
前記本体は、入口装置と、本体の中央に設けられた可動部材と、を有し、圧縮空気が前記入口装置を通って前記作動装置に入る時、前記可動部材を駆動し、
前記固定装置は、
前記作動装置の端部を接続するための接続点と、
可動部材を保持するための保持要素と、
前記作動装置の作動の時、前記温灸器のバランスを崩されないようにするための固定要素と、を含むことを特徴とする温灸器用の固定装置。
【請求項６】
前記入口装置は、第一入口及び第二入口を含み、
前記圧縮空気は前記第一入口を通って前記作動装置に入れる時、前記可動部材は下の第一位置に移動し、
前記圧縮空気は前記第二入口を通って前記作動装置に入れる時、前記可動部材は上の第二位置に移動することを特徴とする請求項５に記載の温灸器用の固定装置。
【請求項７】
前記第一位置は、作業領域に近い、
前記第二位置は、前記作業領域から離れ、
前記可動部材は、艾▲火主▼を収納するために使用し、
前記作動装置は、シリンダであり、
前記圧縮空気は、空気圧縮機により提供され、
前記温灸器は、温度感知素子を更に含み、
前記温度感知素子は、温度監視装置に接続され、
前記温度監視装置は、前記圧縮空気を前記第一入口又は前記第二入口に入れることを制御するための電磁弁を含むことを特徴とする請求項６に記載の温灸器用の固定装置。
【考案の詳細な説明】
【技術分野】
【０００１】
（関連出願の相互参照）
本出願は、２０１５年８月６日に出願された出願番号１０４２１２７１２の台湾出願に基づく利益を主張し、その内容は参考として本明細書に取り入れるものとする。
【考案の属する技術分野】
【０００２】
本考案は、温灸器用の固定装置に関し、特に、温度を制御できる温灸器用の固定装置に関する。
【背景技術】
【０００３】
中国の伝統医学における鍼灸は、「鍼」及び「灸」という二つの部分を含む。「灸」は、著しい効能を果たすことができるため、長い年月を経ても中国で広がっている。灸の方法は、モグサ又は艾火主に火を点けることにより、熱及び艾火の焼灼で人の経穴に作用し、温熱刺激を与えることによって、経絡を介して、疾患の治療の目的を達成する。
【０００４】
従来の灸法は、患者の皮膚の上に直接にモグサをひねったものである艾▲火主▼を立てて火をつけて焼ききる（透熱灸）ため、患者に痛みや不快感を引き起こし、或いは、艾の下に物を置いて経穴に伝導熱を間接に伝える（隔物灸）ため、近すぎると痛みや不快感も引き起こす。よって、これらの治療方法を受けることができる患者が多くない。現在、最も一般な灸法は、筒状の温灸器を利用する温筒灸である。図１は、従来の温灸器の構造図である。図１に示すように、温灸器１００は、ベース１０２とスリーブ１０４を有する。ベース１０２とスリーブ１０４は、空気循環のための中空構造を有する。スリーブ１０４には、艾▲火主▼（モグサ）１０６が配置される可能である。艾▲火主▼１０６を点火すると、温灸器１００の中央における空気の流れを介して、薬効をベース１０２の下にある経穴にもたらす。このような従来の温灸器１００を使用すると、温度を制御し難く、治療効果も大幅に減少する。
【０００５】
温灸器の温度を制御するために、温度感知素子を有する温灸器を開発した。温度が所定温度を超えた場合、温灸器に配置されたシリンダを使用し、艾▲火主▼を皮膚から離す。シリンダの作動で艾▲火主▼を駆動することは、皮膚の火傷を避けるものの、温灸器の重心が不安定になり、経穴に固定し難い。
【０００６】
従来技術の欠点を克服するために、温灸器用の固定装置が開示される。
【考案の概要】
【考案が解決しようとする課題】
【０００７】
上記課題を解決するために、本考案は、温灸器に配置される特別な固定装置により、温灸器の重心を安定させて温灸器の温度を制御し、患者から火傷を避けることができる。
【課題を解決するための手段】
【０００８】
従来技術に鑑み、本考案は、温灸器用の固定装置を提出する。前記温灸器用の固定装置は、収納空間を有する本体と、シリンダと、を含む温灸器用の固定装置であって、前記シリンダの端部を接続するためのシリンダ接続点と、艾▲火主▼を保持するための保持要素と、前記シリンダの作動を安定させるための固定要素と、を含む。
【０００９】
上述の目的を達成するために、温灸器用の固定装置を提出する。前記温灸器用の固定装置は、収納空間を有する本体と、前記収納空間の一側に配置されるシリンダと、を含む温灸器用の固定装置であって、前記シリンダの端部を接続するためのシリンダ接続点と、艾▲火主▼を保持するための保持要素と、前記シリンダの作動の時、前記本体を安定させるために、前記シリンダの相対側に配置され、前記本体と接続される固定要素と、を含む。
【００１０】
上述の目的を達成するために、温灸器用の固定装置を提出する。前記温灸器用の固定装置は、本体と、前記収納空間の一側に配置される作動装置と、を含む温灸器用の固定装置であって、前記本体は、入口装置と、本体の中央に設けられた可動部材と、を有し、圧縮空気が前記入口装置を通って前記作動装置に入る時、前記可動部材を駆動し、前記固定装置は、前記作動装置の端部を接続するための接続点と、可動部材を保持するための保持要素と、前記作動装置の作動の時、前記温灸器のバランスを崩されないようにするための固定要素と、を含む。
【考案の効果】
【００１１】
本考案は、温灸器に配置される特別な固定装置により、温灸器の重心を安定させて温灸器の温度を制御し、患者から火傷を避けることができる。
【図面の簡単な説明】
【００１２】
【図１】従来の温灸器の構造図である。
【図２】本考案の実施形態に係る固定装置と温灸器との組み合わせを示す断面図である。
【図３】本考案の好ましい第一実施形態に係る固定装置を示す図である。
【図４】本考案の好ましい第二実施形態に係る固定装置を示す図である。
【図５】本考案の実施形態に係る固定装置と温灸器を示す分解図である。
【図６（Ａ）】図２におけるシリンダを示す拡大図である。
【図６（Ｂ）】図２におけるシリンダを示す拡大図である。
【図７】本考案の実施形態に係る別の固定装置と温灸器との組み合わせを示す断面図である。
【図８】本考案の実施形態に係る温灸器の温度を制御するためのシステムを示す図である。
【考案を実施するための形態】
【００１３】
以下のように、本考案を実施例に基づいて詳述するが、あくまでも例示であって、本考案の範囲はこれらの実施形態に限定されない。本考案の範囲は、実用新案登録請求の範囲に記載されており、さらに実用新案登録請求の範囲の記載と均等な意味及び範囲内での全ての変更を含んでいる。
【００１４】
図２は、本考案の実施形態に係る固定装置と温灸器２００との組み合わせを示す断面図である。固定装置と組み合わた温灸器２００は、本体２０２、シリンダ２０４、ベース２０６及び温度感知素子２０８を含む。本体２０２は、艾▲火主▼２１０及び固定装置を収納する収納空間２０２２を有する。本考案において、固定装置は、複数の部品を組み合わせたものである。固定装置は、シリンダ接続点２１２、バネ片（保持要素）２１４、固定要素２１６及び円板２１８を含む。シリンダ接続点２１２は、シリンダ２０４の一つの端部が円板２１８に固定される固定位置である。バネ片２１４は、艾▲火主▼２１０を保持して収納空間２０２２の中央に位置させ、ベース２０６の上の開口部を通過することができる。固定要素２１６は、本体２０２に固定され、円板２１８を摺動自在に貫通し、シリンダ２０４の作動を安定させるガイド部品である。温灸器２００にある艾▲火主▼２１０は、可動部材として、バネ片２１４及びシリンダ接続点２１２を介してシリンダ２０４と接続される。艾▲火主▼２１０は、シリンダ２０４の作動の時、固定要素２１６のガイドにより、温灸器２００のバランスを崩されない（温灸器２００を傾斜にならない）ように、垂直方向に往復運動する。
【００１５】
温灸器２００は、単一のシリンダ２０４によって艾▲火主▼２１０を駆動するため、固定要素２１６の不在の場合には、温灸器２００を傾斜にしやすくなる。図２に示すように、本考案は、固定要素２１６がシリンダ２０４の相対側に取り付けられる。固定要素２１６は、方向をガイドするように設置されているので、温灸器２００の重心を安定させて平衡状態に到達することができる。以下、固定要素２１６の設置について、詳細に説明する。
【００１６】
図３は、本考案の好ましい第一実施形態に係る固定装置を示す図である。図３において、必要な要素だけが図示され、それ以外の要素は示されていない。本考案の実施形態に係る固定装置は、円板３０２を含む。円板３０２は、艾▲火主▼を通すための中央孔３０４と、固定要素３０８を貫通するための側孔３０６とを有する。固定要素３０８は、本体３１０に固定される。シリンダ３１２の作動の時、シリンダ３１２に接続された円板３０２は、シリンダ３１２に応じて上下に移動し、固定要素３０８に沿って摺動する。図３に示すように、本考案の好ましい実施形態によれば、円板３０２の側孔３０６は、中央孔３０４と円板３０２の端部との間に配置されている。図４に示すように、本考案の好ましい実施形態によれば、円板４０２の側孔４０６は、円板４０２の端部に配置されている。側孔４０６は、シリンダ４１２の作動の時に固定要素４０８で本体４１０を安定させる限り、円板４０２の外周のいずれか一箇所に設けられてもよい。固定要素の設置位置は、図３及び図４に限定されるものではなく、シリンダ４１２の作動を安定及びガイドできれば、本考案の範囲に包含される。本考案の実施形態に係る固定要素は、貫通位置が異なっていてもよく、本体のいずれか一箇所に固定されてもよい。例えば、図２〜４に示す実施形態において、固定要素は、一端が本体の上に固定され、他端が固定されていない。しかし、固定要素は、一端が本体の下に固定されてもよく、他端が固定されておらず、シリンダをガイドする効果を達成するために、円板を摺動自在に貫通でき、当業者がこれを理解できる。
【００１７】
艾▲火主▼の燃焼の時の高温に耐え、使用の後に清潔にしやすくなるためには、固定要素の材料は、アルミニウム合金又はベークライト（Bakelite）である。これにより、固定要素は、艾▲火主▼の燃焼の時に、約１５０℃の温度に耐えることができる。使用の後に、温灸器及び固定装置をアルカリ溶液に浸し、艾▲火主▼の燃焼によって生成させたタールを除去することができる。
【００１８】
図２において、温度感知素子２０８は、ベース２０６に設置され、温灸器２００内の温度が予め温度を超えるかどうかを感知するためのものである。ベース２０６は、上部開口と下部開口を有する中空構造である。上部開口は、艾▲火主▼２１０を入れるためのものであり、下部開口は、患者の皮膚の上に配置するものである。よって、温度感知素子２０８は、ベース２０６の下部開口に設置されることで、皮膚の温度が予め温度を超えるかどうかも感知できる。
【００１９】
図５の分解図に示すように、温灸器５００の本体５１０は、ベース５２０から分離することができる。本考案の実施形態に係るベース５２０は、取り外し可能であり、温灸器の温度が高すぎると、他のベースで取り外して交換することができ、又、次の患者に使用し続けることもでき、温灸器の温度が低下することを待つ必要がない。
【００２０】
シリンダの駆動について、図２に示す。図２において、温灸器２００は、二つの空気入口２２０を有する（一つの空気入口のみを示す）。空気入口２２０は、気圧源から圧縮空気を受け取る。空気管２２２は、空気入口２２０とシリンダ２０４と接続されている。他の空気入口も他の空気管でシリンダ２０４と接続されている。圧縮空気は、空気管２２２を介して、シリンダ２０４の上部入口（図示せず）に入り、シリンダ２０４を駆動して下向き駆動力を生成させ、艾▲火主▼２１０を下に移動させる。シリンダ２０４の下部入口は、他の空気入口からの空気を受け取り、シリンダ２０４は、上向き推力を生成させ、艾▲火主▼２１０を上に移動させる。本実施形態における空気入口２２０は、温灸器２００の相対的に高い位置に設置される。空気が熱膨張冷収縮特性を有するので、金属のシリンダ２０４は、艾▲火主▼２１０の燃焼底部から離れば、熱による空気の体積膨張は、シリンダ２０４の作動に影響を与えにくい。
【００２１】
図６（Ａ）と図６（Ｂ）は、図２におけるシリンダを示す拡大図である。図６（Ａ）と図６（Ｂ）における矢印は、空気の流れ方向を示す。図６（Ａ）に示すように、空気は、シリンダ６０４の下部入口６０４２から入た後、シリンダ６０４のピストン６０４６を上方に突出させ、上昇の勢いにより、円板を上に移動させ、バネ片で保持された艾▲火主▼を上に移動させる。図６（Ｂ）に示すように、、空気は、シリンダ６０４の上部入口６０４４から入た後、シリンダ６０４のピストン６０４６を下方に戻せ、円板を下に移動させ、バネ片で保持された艾▲火主▼を下に移動させる。
【００２２】
上記のシリンダの駆動について、本考案を実施する場合の一例を示すものであって、本考案を以上に説明する具体的構成に限定するものではなく、当業者であれば。種々の変更、改良を行うことができる。例えば、圧縮空気は、単一入口を通ってシリンダに入って、艾▲火主▼を移動させる。単一入口を有するシリンダは、単動シリンダ又は複動シリンダであってもよい。単動シリンダにはバネが設けられ、圧縮空気がある時、圧縮空気によってピストンを単一方向に移動させ、圧縮空気がない時、バネの弾性によってピストンを元の位置に戻す。複動シリンダは、ピストンを逆方向に移動させる時、同一入口を通って真空状態になり、往復運動を達成できる。
【００２３】
図７は、本考案の実施形態に係る別の固定装置と温灸器７００との組み合わせを示す断面図である。固定装置と組み合わた温灸器７００は、本体７０２、シリンダ７０４、ベース７０６及び温度感知素子７０８を含む。温灸器７００は、図２の温灸器２００とほぼ同じような配置を有するが、シリンダ７０４は、図２における配置方向と逆になり、ベース７０６に近い位置に配置する。このように、圧縮空気がシリンダ７０４の下部入口（図示せず）に入ると、上向き推力を生成させ、艾▲火主▼７１０を上方に移動させる。シリンダ７０４の上部入口は、空気入口７２０からの空気を受け、シリンダ７０４を駆動して下向き推力を生成させ、艾▲火主▼７１０を下方に戻せる。
【００２４】
温灸器の温度を制御するために、温灸器の温度感知素子は、温度監視装置（例えば温度コントローラ）に接続される。温度監視装置は、温度の監視に使用することを除いて、温度が高すぎるとシリンダの作動方向を変更し、艾▲火主▼を患者の皮膚から離れる。温度が予め温度を下回った場合に、シリンダの作動方向を再び変更し、艾▲火主▼を患者の皮膚に接近させる。
【００２５】
図８は、本考案の実施形態に係る温灸器の温度を制御するためのシステムを示す図である。図８に示すように、システムは、温灸器８１０、温度コントローラ８２０及び空気圧縮機８３０を含む。温灸器８１０には、導線８４０によって温度コントローラ８２０に接続される温度感知素子が設けられる。温度コントローラ８２０は、空気圧縮機８３０の圧縮空気の供給方向を決定するための電磁弁８５０を含む。電磁弁８５０は、温灸器８１０の二つの空気入口に接続され、温灸器８１０における艾▲火主▼の移動方向を制御するために、異なる空気入口よって空気を提供する。電源投入の後、温度検出素子を使用することで、温灸器８１０のベース内の温度を検出する。ベース内の温度が予め温度を超えると、空気の供給方向を制御し、艾▲火主▼の位置を上昇させる。ベース内の温度が別の予め温度を下回ると、電磁弁８５０によって他の空気入口から空気を供給し、艾▲火主▼の位置を降下させる。
【００２６】
温灸器を使用する場合、まず、艾▲火主▼を温灸器の中央に保持して火をつけ、患者の経穴の上に配置する。その後、気流を制御するスイッチを入れ（電源投入）、異なる空気の供給方向により、シリンダのピストンで艾▲火主▼の上下運動を制御する。艾▲火主▼を皮膚に近い位置に押し込まれると、艾▲火主▼の熱が皮膚の経穴に伝導し、局所的に暖かい効果をもたらす。灸療法は経穴に行うことができる。温灸器の使用は、一週間２〜６回を行い、毎回は約２０分間持続する。
【００２７】
温度コントローラと接続された温灸器は、温灸器内の温度を制御するために、電磁弁を介して空気の供給方向を制御することができる。温灸器内の温度は、約４０〜５０℃の温度範囲であり、過熱による火傷を回避するように調整される。温度が温度コントローラの予め温度を超えると、圧縮空気の供給方向を変更し、温灸器におけるシリンダのピストンを上方に突出させ、艾▲火主▼をより高い位置に移動させて皮膚から離れ、温度を低下させる。温度が予め温度を下回ると、圧縮空気の供給方向を再び変更し、ピストンを下方に戻せ、艾▲火主▼を皮膚に接近させる。
【００２８】
灸刺激で使用する艾▲火主▼は、好ましい使用効果を達成するために、予め乾燥工程を行う必要がある。伝統的な漢方薬は、主に新鮮なハーブ（ヨモギ）を使用し、ヨモギは、長く保管すればするほど良くなる。「七年の疾患は、三年間のヨモギを必要とする」、古人はよく言ったものだ。古人は、ヨモギを収穫して乾燥し、使用する前にヨモギを三年に置く必要があり、三年に置いたヨモギは、香りが味がなくなる。しかし、現在、市販されている新鮮なヨモギは、辛い香りがするので、灼熱感とチクチク感をを感じ、体に傷害を負いやすくなる。故に、入手したヨモギは、乾燥及び除湿で辛い香りを除去し、艾▲火主▼になり、治療に用いることができる。しかし、通常の乾燥機の高い温度によって除湿をするとき、艾▲火主▼の品質を悪くするので、望ましくない。室温での速乾除湿技術の使用は、艾▲火主▼の品質に影響を与えることなく、迅速な除湿を達成することができる。これにより、短時間で三年に置いた効果を有する艾▲火主▼を、シミュレートすることができる。本考案に使用する艾▲火主▼は、室温での速乾除湿技術によって処理する。速乾除湿した艾▲火主▼は、温度を精密に制御できる温灸器に使用し、作業者が安全にお灸を使用することができる。本考案により、体表に火傷を負うことを確実かつ簡単に防止するだけでなく、さまざまな患者に応じて温度を調節し、治療に適することができる。
【００２９】
本考案は、特別な固定装置と組み合わせた温灸器が温度を制御できる。温灸器に単一のシリンダを配置し、固定要素と組み合わせることで、シリンダの動作をカイドし、艾▲火主▼を押して往復移動を行う。そうして、温灸器は、患者の皮膚に応用する時、傾斜にならない。
【００３０】
以上に開示された固定装置は、圧縮空気で動く温灸器と組み合わせたものである。本考案の固定装置は、他の温灸器と組み合わせることができる。例えば、電気又は電磁誘導で駆動する温灸器であってもよい。電気で駆動する温灸器は、駆動素子（例えばリニアモータ）を含み、艾▲火主▼は、通電する前に、ベースから離れるより高い位置にある。通電した後、艾▲火主▼は、駆動素子によって下降させ、ベースに近づく。電磁誘導で駆動する温灸器は、駆動素子（例えば電磁弁）を含み、駆動素子によって上下に移動することで、艾▲火主▼をベースの上部入口に貫通させて上下に移動させる。このような駆動素子が上下に移動する時、温灸器は傾斜になる恐れがあるため、本考案の固定装置により温灸器を安定させることができる。
【００３１】
以上の説明によると、当業者であれば本考案の技術思想を逸脱しない範囲で、多様な変更及び修正が可能であることが分かる。従って、本考案の技術的な範囲は、明細書の詳細な説明に記載された内容に限らず、実用新案登録請求の範囲によって定めなければならない。
【実施例】
【００３２】
１、収納空間を有する本体と、シリンダと、を含む温灸器用の固定装置であって、前記シリンダの端部を接続するためのシリンダ接続点と、
艾▲火主▼を保持するための保持要素と、前記シリンダの作動を安定させるための固定要素と、を含む。
【００３３】
２、実施例１に記載の温灸器用の固定装置は、前記シリンダの数は一つである。
【００３４】
３、実施例１〜２に記載の温灸器用の固定装置は、前記固定装置は、円板を含み、前記円板は、前記艾▲火主▼を通すための中央孔と、側孔とを有し、前記固定要素は、前記本体に固定され、前記側孔を摺動自在に貫通するガイド部品である。
【００３５】
４、実施例１〜３に記載の温灸器用の固定装置は、前記固定要素の材料は、アルミニウム合金又はベークライト（Bakelite）である。
【００３６】
５、実施例１〜４に記載の温灸器用の固定装置は、前記温灸器は、ベースに配置され、前記温灸器内の温度が予め温度を超えるかどうかを感知するための温度感知素子を更に含む。
【００３７】
６、実施例１〜５に記載の温灸器用の固定装置は、前記ベースは、着脱自在に取り付ける。
【００３８】
７、実施例１〜６に記載の温灸器用の固定装置は、前記温度感知素子は、温度監視装置に接続され、前記温度監視装置は、圧縮空気を前記シリンダに入れることを制御するための電磁弁を含む。
【００３９】
８、温灸器用の固定装置は、収納空間を有する本体と、前記収納空間の一側に配置されるシリンダと、を含む温灸器用の固定装置であって、前記シリンダの端部を接続するためのシリンダ接続点と、艾▲火主▼を保持するための保持要素と、前記シリンダの作動の時、前記本体を安定させるために、前記シリンダの相対側に配置され、前記本体と接続される固定要素と、を含む。
【００４０】
９、温灸器用の固定装置は、本体と、前記収納空間の一側に配置される作動装置と、を含む温灸器用の固定装置であって、前記本体は、入口装置と、本体の中央に設けられた可動部材と、を有し、圧縮空気が前記入口装置を通って前記作動装置に入る時、前記可動部材を駆動し、前記固定装置は、前記作動装置の端部を接続するための接続点と、可動部材を保持するための保持要素と、前記作動装置の作動の時、前記温灸器のバランスを崩されないようにするための固定要素と、を含む。
【００４１】
１０、実施例９に記載の温灸器用の固定装置は、前記入口装置は、第一入口及び第二入口を含み、前記圧縮空気は前記第一入口を通って前記作動装置に入れる時、前記可動部材は下の第一位置に移動し、前記圧縮空気は前記第二入口を通って前記作動装置に入れる時、前記可動部材は上の第二位置に移動する。
【００４２】
１１、実施例９〜１０に記載の温灸器用の固定装置は、前記第一位置は、作業領域に近い、前記第二位置は、前記作業領域から離れる。
【００４３】
１２、実施例９〜１１に記載の温灸器用の固定装置は、前記可動部材は、艾▲火主▼を収納するために使用し、前記作動装置は、シリンダである。
【００４４】
１３、実施例９〜１２に記載の温灸器用の固定装置は、前記圧縮空気は、空気圧縮機により提供される。
【００４５】
１４、実施例９〜１３に記載の温灸器用の固定装置は、前記温灸器は、温度感知素子を更に含み、前記温度感知素子は、温度監視装置に接続され、前記温度監視装置は、前記圧縮空気を前記第一入口又は前記第二入口に入れることを制御するための電磁弁を含む。
【符号の説明】
【００４６】
２００、５００、７００、８１０  温灸器
２０２、３１０、４１０、７０２  本体
２０４、３１２、４１２、６０４、７０４  シリンダ
２０６、５２０、４０６  ベース
２０８、７０８  温度感知素子
２１０、７１０  艾▲火主▼
２１２  シリンダ接続点
２１４  バネ片
２１６、３０８、４０８  固定要素
２１８、３０２、４０２  円板
２２０、７２０  空気入口
２２２  空気管
３０４  中央孔
３０６、４０６  側孔
８２０  温度コントローラ
８３０  空気圧縮機
８４０  導線
８５０  電磁弁
２０２２  収納空間
６０４２  下部入口
６０４４  上部入口
６０４６  ピストン
【図１】
0003205428.tif 000003
【図２】
0003205428.tif 000004
【図３】
0003205428.tif 000005
【図４】
0003205428.tif 000006
【図５】
0003205428.tif 000007
【図６（Ａ）】
0003205428.tif 000008
【図６（Ｂ）】
0003205428.tif 000009
【図７】
0003205428.tif 000010
【図８】
0003205428.tif 000011
【手続補正書】
【提出日】平成28年5月19日(2016.5.19)
【手続補正１】
【補正対象書類名】実用新案登録請求の範囲
【補正対象項目名】全文
【補正方法】変更
【補正の内容】
【実用新案登録請求の範囲】
【請求項１】
収納空間を有する本体と、シリンダと、を含む温灸器用の固定装置であって、
前記シリンダの端部を接続するためのシリンダ接続点と、
モグサを保持するための保持要素と、
前記シリンダの作動を安定させるための固定要素と、を含むことを特徴とする温灸器用
の固定装置。
【請求項２】
前記シリンダの数は一つであり、
前記固定装置は、円板を含み、
前記円板は、前記モグサを通すための中央孔と、側孔とを有し、
前記固定要素は、前記本体に固定され、前記側孔を摺動自在に貫通するガイド部品であ
り、
前記固定要素の材料は、アルミニウム合金又はベークライト（Bakelite）であることを
特徴とする請求項１に記載の温灸器用の固定装置。
【請求項３】
前記温灸器は、ベースに配置され、前記温灸器内の温度が予め設定された温度を超えるかどうかを感知するための温度感知素子を更に含み、
前記ベースは、着脱自在に取り付け、
前記温度感知素子は、温度監視装置に接続され、
前記温度監視装置は、圧縮空気を前記シリンダに入れることを制御するための電磁弁を
含むことを特徴とする請求項１に記載の温灸器用の固定装置。
【請求項４】
収納空間を有する本体と、前記収納空間の一側に配置されるシリンダと、を含む温灸器
用の固定装置であって、
前記シリンダの端部を接続するためのシリンダ接続点と、
モグサを保持するための保持要素と、
前記シリンダの作動の時、前記本体を安定させるために、前記シリンダの相対側に配置
され、前記本体と接続される固定要素と、を含むことを特徴とする温灸器用の固定装置。
【請求項５】
収納空間を有する本体と、前記収納空間の一側に配置される作動装置と、を含む温灸器用の固定装置であって、
前記本体は、入口装置と、本体の中央に設けられた可動部材と、を有し、圧縮空気が前
記入口装置を通って前記作動装置に入る時、前記可動部材を駆動し、
前記固定装置は、
前記作動装置の端部を接続するための接続点と、
可動部材を保持するための保持要素と、
前記作動装置の作動の時、前記温灸器のバランスを崩されないようにするための固定要
素と、を含むことを特徴とする温灸器用の固定装置。
【請求項６】
前記入口装置は、第一入口及び第二入口を含み、
前記圧縮空気は前記第一入口を通って前記作動装置に入れる時、前記可動部材は下の第
一位置に移動し、
前記圧縮空気は前記第二入口を通って前記作動装置に入れる時、前記可動部材は上の第
二位置に移動することを特徴とする請求項５に記載の温灸器用の固定装置。
【請求項７】
前記第一位置は、作業領域に近い、
前記第二位置は、前記作業領域から離れ、
前記可動部材は、モグサを収納するために使用し、
前記作動装置は、シリンダであり、
前記圧縮空気は、空気圧縮機により提供され、
前記温灸器は、温度感知素子を更に含み、
前記温度感知素子は、温度監視装置に接続され、
前記温度監視装置は、前記圧縮空気を前記第一入口又は前記第二入口に入れることを制
御するための電磁弁を含むことを特徴とする請求項６に記載の温灸器用の固定装置。
【手続補正２】
【補正対象書類名】明細書
【補正対象項目名】全文
【補正方法】変更
【補正の内容】
【考案の詳細な説明】
【技術分野】
【０００１】
（関連出願の相互参照）
本出願は、２０１５年８月６日に出願された出願番号１０４２１２７１２の台湾出願に
基づく利益を主張し、その内容は参考として本明細書に取り入れるものとする。
[考案の属する技術分野]
【０００２】
本考案は、温灸器用の固定装置に関し、特に、温度を制御できる温灸器用の固定装置に
関する。
【背景技術】
【０００３】
中国の伝統医学における鍼灸は、「鍼」及び「灸」という二つの部分を含む。「灸」は
、著しい効能を果たすことができるため、長い年月を経ても中国で広がっている。灸の方
法は、モグサに火を点けることにより、熱及び艾火の焼灼で人の経穴に作用し、温熱刺激を与えることによって、経絡を介して、疾患の治療の目的を達成する。
【０００４】
従来の灸法は、患者の皮膚の上に直接にモグサをひねったものであるモグサを立てて火をつけて焼ききる（透熱灸）ため、患者に痛みや不快感を引き起こし、或いは、艾の下に物を置いて経穴に伝導熱を間接に伝える（隔物灸）ため、近すぎると痛みや不快感も引き起こす。よって、これらの治療方法を受けることができる患者が多くない。現在、最も一般な灸法は、筒状の温灸器を利用する温筒灸である。図１は、従来の温灸器の構造図である。図１に示すように、温灸器１００は、ベース１０２とスリーブ１０４を有する。ベース１０２とスリーブ１０４は、空気循環のための中空構造を有する。スリーブ１０４には、モグサ（モグサ）１０６が配置される可能である。モグサ１０６を点火すると、温灸器１００の中央における空気の流れを介して、薬効をベース１０２の下にある経穴にもたらす。このような従来の温灸器１００を使用すると、温度を制御し難く、治療効果も大幅に減少する。
【０００５】
温灸器の温度を制御するために、温度感知素子を有する温灸器を開発した。温度が所定
温度を超えた場合、温灸器に配置されたシリンダを使用し、モグサを皮膚から離す。シリンダの作動でモグサを駆動することは、皮膚の火傷を避けるものの、温灸器の重心が不安定になり、経穴に固定し難い。
【０００６】
従来技術の欠点を克服するために、温灸器用の固定装置が開示される。
【考案の概要】
【考案が解決しようとする課題】
【０００７】
上記課題を解決するために、本考案は、温灸器に配置される特別な固定装置により、温
灸器の重心を安定させて温灸器の温度を制御し、患者から火傷を避けることができる。
【課題を解決するための手段】
【０００８】
従来技術に鑑み、本考案は、温灸器用の固定装置を提出する。前記温灸器用の固定装置
は、収納空間を有する本体と、シリンダと、を含む温灸器用の固定装置であって、前記シ
リンダの端部を接続するためのシリンダ接続点と、モグサを保持するための保持要素と、前記シリンダの作動を安定させるための固定要素と、を含む。
【０００９】
上述の目的を達成するために、温灸器用の固定装置を提出する。前記温灸器用の固定装
置は、収納空間を有する本体と、前記収納空間の一側に配置されるシリンダと、を含む温
灸器用の固定装置であって、前記シリンダの端部を接続するためのシリンダ接続点と、モグサを保持するための保持要素と、前記シリンダの作動の時、前記本体を安定させるために、前記シリンダの相対側に配置され、前記本体と接続される固定要素と、を含む。
【００１０】
上述の目的を達成するために、温灸器用の固定装置を提出する。前記温灸器用の固定装
置は、本体と、前記収納空間の一側に配置される作動装置と、を含む温灸器用の固定装置
であって、前記本体は、入口装置と、本体の中央に設けられた可動部材と、を有し、圧縮
空気が前記入口装置を通って前記作動装置に入る時、前記可動部材を駆動し、前記固定装
置は、前記作動装置の端部を接続するための接続点と、可動部材を保持するための保持要
素と、前記作動装置の作動の時、前記温灸器のバランスを崩されないようにするための固
定要素と、を含む。
【考案の効果】
【００１１】
本考案は、温灸器に配置される特別な固定装置により、温灸器の重心を安定させて温灸
器の温度を制御し、患者から火傷を避けることができる。
【図面の簡単な説明】
【００１２】
【図１】従来の温灸器の構造図である。
【図２】本考案の実施形態に係る固定装置と温灸器との組み合わせを示す断面図である。
【図３】本考案の好ましい第一実施形態に係る固定装置を示す図である。
【図４】本考案の好ましい第二実施形態に係る固定装置を示す図である。
【図５】本考案の実施形態に係る固定装置と温灸器を示す分解図である。
【図６（Ａ）】図２におけるシリンダを示す拡大図である。
【図６（Ｂ）】図２におけるシリンダを示す拡大図である。
【図７】本考案の実施形態に係る別の固定装置と温灸器との組み合わせを示す断面図である。
【図８】本考案の実施形態に係る温灸器の温度を制御するためのシステムを示す図である。
【考案を実施するための形態】
【００１３】
以下のように、本考案を実施例に基づいて詳述するが、あくまでも例示であって、本考
案の範囲はこれらの実施形態に限定されない。本考案の範囲は、実用新案登録請求の範囲
に記載されており、さらに実用新案登録請求の範囲の記載と均等な意味及び範囲内での全
ての変更を含んでいる。
【００１４】
図２は、本考案の実施形態に係る固定装置と温灸器２００との組み合わせを示す断面図
である。固定装置と組み合わた温灸器２００は、本体２０２、シリンダ２０４、ベース２
０６及び温度感知素子２０８を含む。本体２０２は、モグサ２１０及び固定装置を収納する収納空間２０２２を有する。本考案において、固定装置は、複数の部品を組み合わせたものである。固定装置は、シリンダ接続点２１２、バネ片（保持要素）２１４、固定要素２１６及び円板２１８を含む。シリンダ接続点２１２は、シリンダ２０４の一つの端部が円板２１８に固定される固定位置である。バネ片２１４は、モグサ２１０を保持して収納空間２０２２の中央に位置させ、ベース２０６の上の開口部を通過することができる。固定要素２１６は、本体２０２に固定され、円板２１８を摺動自在に貫通し、シリンダ２０４の作動を安定させるガイド部品である。温灸器２００にあるモグサ２１０は、可動部材として、バネ片２１４及びシリンダ接続点２１２を介してシリンダ２０４と接続される。モグサ２１０は、シリンダ２０４の作動の時、固定要素２１６のガイドにより、温灸器２００のバランスを崩されない（温灸器２００を傾斜にならない）ように、垂直方向に往復運動する。
【００１５】
温灸器２００は、単一のシリンダ２０４によってモグサ２１０を駆動するため、固定要素２１６の不在の場合には、温灸器２００を傾斜にしやすくなる。図２に示すように、本考案は、固定要素２１６がシリンダ２０４の相対側に取り付けられる。固定要素２１６は、方向をガイドするように設置されているので、温灸器２００の重心を安定させて平衡状態に到達することができる。以下、固定要素２１６の設置について、詳細に説明する。
【００１６】
図３は、本考案の好ましい第一実施形態に係る固定装置を示す図である。図３において
、必要な要素だけが図示され、それ以外の要素は示されていない。本考案の実施形態に係
る固定装置は、円板３０２を含む。円板３０２は、モグサを通すための中央孔３０４と、固定要素３０８を貫通するための側孔３０６とを有する。固定要素３０８は、本体３１０に固定される。シリンダ３１２の作動の時、シリンダ３１２に接続された円板３０２は、シリンダ３１２に応じて上下に移動し、固定要素３０８に沿って摺動する。図３に示すように、本考案の好ましい実施形態によれば、円板３０２の側孔３０６は、中央孔３０４と円板３０２の端部との間に配置されている。図４に示すように、本考案の好ましい実施形態によれば、円板４０２の側孔４０６は、円板４０２の端部に配置されている。側孔４０６は、シリンダ４１２の作動の時に固定要素４０８で本体４１０を安定させる限り、円板４０２の外周のいずれか一箇所に設けられてもよい。固定要素の設置位置は、図３及
び図４に限定されるものではなく、シリンダ４１２の作動を安定及びガイドできれば、本
考案の範囲に包含される。本考案の実施形態に係る固定要素は、貫通位置が異なっていて
もよく、本体のいずれか一箇所に固定されてもよい。例えば、図２〜４に示す実施形態に
おいて、固定要素は、一端が本体の上に固定され、他端が固定されていない。しかし、固
定要素は、一端が本体の下に固定されてもよく、他端が固定されておらず、シリンダをガ
イドする効果を達成するために、円板を摺動自在に貫通でき、当業者がこれを理解できる
。
【００１７】
モグサの燃焼の時の高温に耐え、使用の後に清潔にしやすくなるためには、固定要素の材料は、アルミニウム合金又はベークライト（Bakelite）である。これにより、固定要素は、モグサの燃焼の時に、約１５０℃の温度に耐えることができる。使用の後に、温灸器及び固定装置をアルカリ溶液に浸し、モグサの燃焼によって生成させたタールを除去することができる。
【００１８】
図２において、温度感知素子２０８は、ベース２０６に設置され、温灸器２００内の温
度が予め設定された温度を超えるかどうかを感知するためのものである。ベース２０６、上部開口と下部開口を有する中空構造である。上部開口は、モグサ２１０を入れるためのものであり、下部開口は、患者の皮膚の上に配置するものである。よって、温度感知素子２０８は、ベース２０６の下部開口に設置されることで、皮膚の温度が予め設定された温度を超えるかどうかも感知できる。
【００１９】
図５の分解図に示すように、温灸器５００の本体５１０は、ベース５２０から分離する
ことができる。本考案の実施形態に係るベース５２０は、取り外し可能であり、温灸器の
温度が高すぎると、他のベースで取り外して交換することができ、又、次の患者に使用し
続けることもでき、温灸器の温度が低下することを待つ必要がない。
【００２０】
シリンダの駆動について、図２に示す。図２において、温灸器２００は、二つの空気入口
２２０を有する（一つの空気入口のみを示す）。空気入口２２０は、気圧源から圧縮空気
を受け取る。空気管２２２は、空気入口２２０とシリンダ２０４と接続されている。他の
空気入口も他の空気管でシリンダ２０４と接続されている。圧縮空気は、空気管２２２を
介して、シリンダ２０４の上部入口（図示せず）に入り、シリンダ２０４を駆動して下向
き駆動力を生成させ、モグサ２１０を下に移動させる。シリンダ２０４の下部入口は、他の空気入口からの空気を受け取り、シリンダ２０４は、上向き推力を生成させ、モグサ２１０を上に移動させる。本実施形態における空気入口２２０は、温灸器２００の相対的に高い位置に設置される。空気が熱膨張冷収縮特性を有するので、金属のシリンダ２０４は、モグサ２１０の燃焼底部から離れば、熱による空気の体積膨張は、シリンダ２０４の作動に影響を与えにくい。
【００２１】
図６（Ａ）と図６（Ｂ）は、図２におけるシリンダを示す拡大図である。図６（Ａ）と
図６（Ｂ）における矢印は、空気の流れ方向を示す。図６（Ａ）に示すように、空気は、
シリンダ６０４の下部入口６０４２から入た後、シリンダ６０４のピストン６０４６を上
方に突出させ、上昇の勢いにより、円板を上に移動させ、バネ片で保持されたモグサを上に移動させる。図６（Ｂ）に示すように、、空気は、シリンダ６０４の上部入口６０４４から入た後、シリンダ６０４のピストン６０４６を下方に戻せ、円板を下に移動させ、バネ片で保持されたモグサを下に移動させる。
【００２２】
上記のシリンダの駆動について、本考案を実施する場合の一例を示すものであって、本
考案を以上に説明する具体的構成に限定するものではなく、当業者であれば。種々の変更
、改良を行うことができる。例えば、圧縮空気は、単一入口を通ってシリンダに入って、
モグサを移動させる。単一入口を有するシリンダは、単動シリンダ又は複動シリンダであってもよい。単動シリンダにはバネが設けられ、圧縮空気がある時、圧縮空気によってピストンを単一方向に移動させ、圧縮空気がない時、バネの弾性によってピストンを元の位置に戻す。複動シリンダは、ピストンを逆方向に移動させる時、同一入口を通って真空状態になり、往復運動を達成できる。
【００２３】
図７は、本考案の実施形態に係る別の固定装置と温灸器７００との組み合わせを示す断
面図である。固定装置と組み合わた温灸器７００は、本体７０２、シリンダ７０４、ベー
ス７０６及び温度感知素子７０８を含む。温灸器７００は、図２の温灸器２００とほぼ同
じような配置を有するが、シリンダ７０４は、図２における配置方向と逆になり、ベース
７０６に近い位置に配置する。このように、圧縮空気がシリンダ７０４の下部入口（図示
せず）に入ると、上向き推力を生成させ、モグサ７１０を上方に移動させる。シリンダ７０４の上部入口は、空気入口７２０からの空気を受け、シリンダ７０４を駆動して下向き推力を生成させ、モグサ７１０を下方に戻せる。
【００２４】
温灸器の温度を制御するために、温灸器の温度感知素子は、温度監視装置（例えば温度
コントローラ）に接続される。温度監視装置は、温度の監視に使用することを除いて、温
度が高すぎるとシリンダの作動方向を変更し、モグサを患者の皮膚から離れる。温度が予め設定された温度を下回った場合に、シリンダの作動方向を再び変更し、モグサを患者の皮膚に接近させる。
【００２５】
図８は、本考案の実施形態に係る温灸器の温度を制御するためのシステムを示す図であ
る。図８に示すように、システムは、温灸器８１０、温度コントローラ８２０及び空気圧
縮機８３０を含む。温灸器８１０には、導線８４０によって温度コントローラ８２０に接
続される温度感知素子が設けられる。温度コントローラ８２０は、空気圧縮機８３０の圧
縮空気の供給方向を決定するための電磁弁８５０を含む。電磁弁８５０は、温灸器８１０
の二つの空気入口に接続され、温灸器８１０におけるモグサの移動方向を制御するために、異なる空気入口よって空気を提供する。電源投入の後、温度検出素子を使用することで、温灸器８１０のベース内の温度を検出する。ベース内の温度が予め設定された温度を超えると、空気の供給方向を制御し、モグサの位置を上昇させる。ベース内の温度が別の予め設定された温度を下回ると、電磁弁８５０によって他の空気入口から空気を供給し、モグサの位置を降下させる。
【００２６】
温灸器を使用する場合、まず、モグサを温灸器の中央に保持して火をつけ、患者の経穴の上に配置する。その後、気流を制御するスイッチを入れ（電源投入）、異なる空気の供給方向により、シリンダのピストンでモグサの上下運動を制御する。モグサを皮膚に近い位置に押し込まれると、モグサの熱が皮膚の経穴に伝導し、局所的に暖かい効果をもたらす。灸療法は経穴に行うことができる。温灸器の使用は、一週間２〜６回を行い、毎回は約２０分間持続する。
【００２７】
温度コントローラと接続された温灸器は、温灸器内の温度を制御するために、電磁弁を
介して空気の供給方向を制御することができる。温灸器内の温度は、約４０〜５０℃の温
度範囲であり、過熱による火傷を回避するように調整される。温度が温度コントローラの
予め設定された温度を超えると、圧縮空気の供給方向を変更し、温灸器におけるシリンダのピストンを上方に突出させ、モグサをより高い位置に移動させて皮膚から離れ、温度を低下させる。温度が予め設定された温度を下回ると、圧縮空気の供給方向を再び変更し、ピストンを下方に戻せ、モグサを皮膚に接近させる。
【００２８】
灸刺激で使用するモグサは、好ましい使用効果を達成するために、予め乾燥工程を行う必要がある。伝統的な漢方薬は、主に新鮮なハーブ（ヨモギ）を使用し、ヨモギは、長く保管すればするほど良くなる。「七年の疾患は、三年間のヨモギを必要とする」、古人はよく言ったものだ。古人は、ヨモギを収穫して乾燥し、使用する前にヨモギを三年に置く必要があり、三年に置いたヨモギは、香りが味がなくなる。しかし、現在、市販されている新鮮なヨモギは、辛い香りがするので、灼熱感とチクチク感をを感じ、体に傷害を負いやすくなる。故に、入手したヨモギは、乾燥及び除湿で辛い香りを除去し、モグサになり、治療に用いることができる。しかし、通常の乾燥機の高い温度によって除湿をするとき、モグサの品質を悪くするので、望ましくない。室温での速乾除湿技術の使用は、モグサの品質に影響を与えることなく、迅速な除湿を達成することができる。
これにより、短時間で三年に置いた効果を有するモグサを、シミュレートすることができる。本考案に使用するモグサは、室温での速乾除湿技術によって処理する。速乾除湿したモグサは、温度を精密に制御できる温灸器に使用し、作業者が安全にお灸を使用することができる。本考案により、体表に火傷を負うことを確実かつ簡単に防止するだけでなく、さまざまな患者に応じて温度を調節し、治療に適することができる。
【００２９】
本考案は、特別な固定装置と組み合わせた温灸器が温度を制御できる。温灸器に単一の
シリンダを配置し、固定要素と組み合わせることで、シリンダの動作をカイドし、モグサを押して往復移動を行う。そうして、温灸器は、患者の皮膚に応用する時、傾斜にならない。
【００３０】
以上に開示された固定装置は、圧縮空気で動く温灸器と組み合わせたものである。本考
案の固定装置は、他の温灸器と組み合わせることができる。例えば、電気又は電磁誘導で
駆動する温灸器であってもよい。電気で駆動する温灸器は、駆動素子（例えばリニアモー
タ）を含み、モグサは、通電する前に、ベースから離れるより高い位置にある。通電した後、モグサは、駆動素子によって下降させ、ベースに近づく。電磁誘導で駆動する温灸器は、駆動素子（例えば電磁弁）を含み、駆動素子によって上下に移動することで、モグサをベースの上部入口に貫通させて上下に移動させる。このような駆動素子が上下に移動する時、温灸器は傾斜になる恐れがあるため、本考案の固定装置により温灸器を安定させることができる。
【００３１】
以上の説明によると、当業者であれば本考案の技術思想を逸脱しない範囲で、多様な変
更及び修正が可能であることが分かる。従って、本考案の技術的な範囲は、明細書の詳細
な説明に記載された内容に限らず、実用新案登録請求の範囲によって定めなければならな
い。
【実施例】
【００３２】
１、収納空間を有する本体と、シリンダと、を含む温灸器用の固定装置であって、前記シ
リンダの端部を接続するためのシリンダ接続点と、
モグサを保持するための保持要素と、前記シリンダの作動を安定させるための固定要素と、を含む。
【００３３】
２、実施例１に記載の温灸器用の固定装置は、前記シリンダの数は一つである。
【００３４】
３、実施例１〜２に記載の温灸器用の固定装置は、前記固定装置は、円板を含み、前記円
板は、前記モグサを通すための中央孔と、側孔とを有し、前記固定要素は、前記本体に固定され、前記側孔を摺動自在に貫通するガイド部品である。
【００３５】
４、実施例１〜３に記載の温灸器用の固定装置は、前記固定要素の材料は、アルミニウム
合金又はベークライト（Bakelite）である。
【００３６】
５、実施例１〜４に記載の温灸器用の固定装置は、前記温灸器は、ベースに配置され、前
記温灸器内の温度が予め設定された温度を超えるかどうかを感知するための温度感知素子を更に含む
。
【００３７】
６、実施例１〜５に記載の温灸器用の固定装置は、前記ベースは、着脱自在に取り付ける
。
【００３８】
７、実施例１〜６に記載の温灸器用の固定装置は、前記温度感知素子は、温度監視装置に
接続され、前記温度監視装置は、圧縮空気を前記シリンダに入れることを制御するための
電磁弁を含む。
【００３９】
８、温灸器用の固定装置は、収納空間を有する本体と、前記収納空間の一側に配置される
シリンダと、を含む温灸器用の固定装置であって、前記シリンダの端部を接続するための
シリンダ接続点と、モグサを保持するための保持要素と、前記シリンダの作動の時、前記本体を安定させるために、前記シリンダの相対側に配置され、前記本体と接続される固定要素と、を含む。
【００４０】
９、温灸器用の固定装置は、本体と、前記収納空間の一側に配置される作動装置と、を含
む温灸器用の固定装置であって、前記本体は、入口装置と、本体の中央に設けられた可動
部材と、を有し、圧縮空気が前記入口装置を通って前記作動装置に入る時、前記可動部材
を駆動し、前記固定装置は、前記作動装置の端部を接続するための接続点と、可動部材を
保持するための保持要素と、前記作動装置の作動の時、前記温灸器のバランスを崩されな
いようにするための固定要素と、を含む。
【００４１】
１０、実施例９に記載の温灸器用の固定装置は、前記入口装置は、第一入口及び第二入口
を含み、前記圧縮空気は前記第一入口を通って前記作動装置に入れる時、前記可動部材は
下の第一位置に移動し、前記圧縮空気は前記第二入口を通って前記作動装置に入れる時、
前記可動部材は上の第二位置に移動する。
【００４２】
１１、実施例９〜１０に記載の温灸器用の固定装置は、前記第一位置は、作業領域に近い
、前記第二位置は、前記作業領域から離れる。
【００４３】
１２、実施例９〜１１に記載の温灸器用の固定装置は、前記可動部材は、モグサを収納するために使用し、前記作動装置は、シリンダである。
【００４４】
１３、実施例９〜１２に記載の温灸器用の固定装置は、前記圧縮空気は、空気圧縮機によ
り提供される。
【００４５】
１４、実施例９〜１３に記載の温灸器用の固定装置は、前記温灸器は、温度感知素子を更
に含み、前記温度感知素子は、温度監視装置に接続され、前記温度監視装置は、前記圧縮
空気を前記第一入口又は前記第二入口に入れることを制御するための電磁弁を含む。
【符号の説明】
【００４６】
２００、５００、７００、８１０  温灸器
２０２、３１０、４１０、７０２  本体
２０４、３１２、４１２、６０４、７０４  シリンダ
２０６、５２０  ベース
２０８、７０８  温度感知素子
２１０、７１０  モグサ
２１２  シリンダ接続点
２１４  バネ片
２１６、３０８、４０８  固定要素
２１８、３０２、４０２  円板
２２０、７２０  空気入口
２２２  空気管
３０４  中央孔
３０６、４０６  側孔
８２０  温度コントローラ
８３０  空気圧縮機
８４０  導線
８５０  電磁弁
２０２２  収納空間
６０４２  下部入口
６０４４  上部入口
６０４６  ピストン